(57)【要約】カプセル保持キャビティを有するハウジング（１）と、刃（８）のための刃保持部（６）と、薬物製剤の分配のための通路（１２）を形成する管状の構成部分（１１）を有する、枢結されたキャップ（２）とを備える、薬物製剤が充填されたカプセルをカットするための携帯装置。
2019505332.tif 000002
【特許請求の範囲】
【請求項１】
薬物製剤が充填されたカプセルをカットすると同時に、前記薬物製剤を分配するための通路を形成するため、携帯装置。
【請求項２】
（ａ）カプセル保持キャビティを有するハウジングと、
（ｂ）前記ハウジングにヒンジを介して（hingedly）固定されたキャップであって、出口ポートに通じる管状の構成部品を備える、キャップと、
（ｃ）前記カプセルをカットすると同時に、こぼれを生じることなく、前記薬物製剤を分配さえるため、前記管状構成部品を前記カットしたカプセルの口上から、経路を形成する前記出口ポートへ係合させる、刃を移動させるための手段と、
を備える、請求項１に記載の携帯装置。
【請求項３】
前記ハウジングが、前記カットされたカプセル上部の廃棄のため、遠位端に向かう開口部を有する、請求項２に記載の携帯装置。
【請求項４】
前記カプセル保持キャビティが、柔軟性を有する、請求項２に記載の携帯装置。
【請求項５】
前記カプセル保持キャビティが、ポリウレタン、ポリアミドおよびこれらの混合物から選択されるポリマーから作製される、請求項２に記載の携帯装置。
【請求項６】
カプセル保持キャビティが、前記カプセルを強固に保持すべく、内側にリブを備える、請求項２に記載の携帯装置。
【請求項７】
前記刃を移動させるための手段が、
（ｉ）前記ハウジング上の２つの平行なガイドウェイ上に取り付けられた、刃保持部であって、少なくとも１つの刃を有する、刃保持部と、
（ｉｉ）前記キャップを閉めた際、前記刃保持部が、前記ハウジングの近位端から遠位端へ前記ガイドウェイ上を移動し、前記カプセルをカットするように、前記刃保持部と前記キャップとを枢結する、１つ以上のリンケージと、
（ｉｉｉ）前記ハウジングの遠位端における開口部の方へ、前記カットしたカプセルの上部を移動させる、ガード壁と、
を備える、請求項２に記載の携帯装置。
【請求項８】
前記刃が三角形の形状を有する、請求項７に記載の携帯装置。
【請求項９】
前記出口ポートが、メッシュ構造を含む、請求項２に記載の携帯装置。
【請求項１０】
前記キャップがさらに、前記キャップにヒンジを介して固定された蓋を備え、
（ａ）前記キャップの前記出口ポートを塞ぐ、注ぎ口ロック部と、
（ｂ）前記キャップに前記蓋を固定する、蓋ロック部と、
を備える、請求項２に記載の携帯装置。
【請求項１１】
前記ハウジングがその底部において、前記カットされたカプセルの下部の排除のため、プッシュボタンと共に、前記プッシュボタンの上下の動きを誘導する柱を備える、請求項２に記載の携帯装置。
【発明の詳細な説明】
【技術分野】
【０００１】
本発明は、概して、患者治療のための装置に関するものであり、より具体的には、分配される薬剤が充填されたカプセルをカットすると共に、そこから薬剤を放出させる、携帯装置に関するものである。
【背景技術】
【０００２】
口腔投与のための最も一般的な医薬品投与の形態として、圧縮錠剤及びカプセルが挙げられる。これらの投与形態は、サイズが大きく、一般的には、液体と共に飲み込む必要がある。
主に、子供や老人の患者にとって、これらを飲み込むことは困難または不可能である
【０００３】
従来より、錠剤を粉砕し、粉末とすることであったり、粉末、顆粒またはペレット状の薬物製剤をカプセルから取り出し、患者にとって受け入れ容易な食用担体、例えば、はちみつ、凝乳、カスタード、ジュースまたは水と共に、投与することが行われている。
【０００４】
一方、この方法は、器用さの点で問題のある特に高齢者または弱っている患者には困難であり、こぼしてしまったり、投与量の一部のロスを生じさせることなく、保持、開封および粉末または顆粒状の内容物を分配することは、看護師であっても困難であると感じうる。
【発明の概要】
【発明が解決しようとする課題】
【０００５】
したがって、今まで解決されていない、薬物製剤が充填されたカプセルをカットすると同時に、薬物製剤を分配するための通路を形成する、特には、こぼすことなく、はちみつやソフトフードのような食用担体へ移動させるまたは振りかける、装置の提供が求められている。
【課題を解決するための手段】
【０００６】
本発明は、薬物製剤が充填されたカプセルをカットすると同時に、薬物製剤を分配するための通路を形成するための携帯装置を提供する。
【０００７】
【０００８】
一実施形態において、本発明の携帯装置は、
（ａ）カプセル保持キャビティを有するハウジングと、
（ｂ）前記ハウジングにヒンジを介して（hingedly）固定されたキャップであって、出口ポートに通じる管状の構成部品を備える、キャップと、
（ｃ）前記カプセルをカットすると同時に、こぼれを生じさせることなく、前記薬物製剤を分配さえるため、前記管状構成部品を前記カットしたカプセルの口上から、経路を形成する前記出口ポートへ係合させる、刃を移動させるための手段と、
を備える。
【０００９】
一実施形態において、本発明の携帯装置は、
（ａ）カプセル保持キャビティを有するハウジングと、
（ｂ）前記ハウジングにヒンジを介して（hingedly）固定されたキャップであって、出口ポートに通じる管状の構成部品を備える、キャップと、
（ｃ）前記カプセルをカットすると同時に、こぼれを生じさせることなく、前記薬物製剤を分配さえるため、前記管状構成部品を前記カットしたカプセルの口上から、経路を形成する前記出口ポートへ係合させる、刃を移動させるための手段と、
を備え、
前記刃を移動させるための手段が、
（ｉ）前記ハウジングの表面上の２つの平行なガイドウェイ上に取り付けられた、少なくとも１つの刃を有する刃保持部と、
（ｉｉ）前記キャップを閉めた際、前記刃保持部が、前記ハウジングの近位端から遠位端へ前記ガイドウェイ上を移動し、前記カプセルをカットするように、前記刃保持部と前記キャップとを枢結する、１つ以上のリンケージと、
（ｉｉｉ）前記ハウジングの遠位端における開口部の方へ、前記カットしたカプセルの上部を移動させる、ガード壁と、
を備える。
【００１０】
他の実施形態において、本発明の装置は、
（ａ）カプセル保持キャビティを有するハウジングと、
（ｂ）前記ハウジングにヒンジを介して（hingedly）固定されたキャップであって、出口ポートに通じる管状の構成部品を備える、キャップと、
（ｃ）前記カプセルをカットすると同時に、こぼれを生じさせることなく、前記薬物製剤を分配さえるため、前記管状構成部品を前記カットしたカプセルの口上から、経路を形成する前記出口ポートへ係合させる、刃を移動させるための手段と、
（ｄ）前記ハウジングが、カットされた前記カプセルの下部を排除するためのプッシュボタンと、
をさらに備える
【図面の簡単な説明】
【００１１】
本発明の様々な実施形態を、添付の図面を参照し説明する。
【図１】図１は、キャップが半分開いた状態にある本発明の一実施形態を表す側面図である。
【図２】図２は、一実施形態における本発明の等角投影図を表す。
【図３】図３は、キャップが閉まった状態の、一実施形態における本発明の等角断面図を表す。
【図４】図４は、閉まった状態の、一実施形態における本発明の断面側面図を表す。
【図５】図５は、分配のため装置を傾けた、一実施形態における本発明の断面側面図を表す。
【図６】図６は、一実施形態における本発明の底部を表す。
【図７】図７は、中間キャップが半分開いた状態の、一実施形態における本発明の等角投影正面図を表す。
【図８】図８は、上部キャップが完全に開いた状態の、一実施形態における本発明の等角投影正面図を表す。
【図９】図９は、柱およびプッシュボタンを備える、一実施形態における本発明の断面側面図を表す。
【図１０】図１０は、底部キャップおよびプッシュボタンを備える、一実施形態における本発明の底部を表す。
【図１１】図１１は、一実施形態における本発明の装置の動作を示す、断面側面図を表す。
【００１２】
図中における数字は以下の通りである。
１：ハウジング
２：キャップ
３：ふた
４：ヒンジ
５：ヒンジ
６：刃保持部
７：リンケージ
８：刃
９：ガイドウェイ
１０：カプセル保持キャビティ
１１：管状の構成部品
１２：経路
１３：ハウジングの底部
１４：結合プレート
１５：開口部
１６：注ぎ口ロック部
１７：出口ポート
１８：ふたロック部
１９：突起部
２０：突起部
２１：ガード壁
２２：下のアンダーカット部
２３：上のアンダーカット部
２４：メッシュ構造部
２５：ハウジングの近位端
２６：ハウジングの遠位端
２７：ヒンジ
２８：未処理カプセル
２９：カットされたカプセルの上部
３０：カットされたカプセルの下部
３１：薬物製剤
３２：柱
３３：プッシュボタン
３４：左ブッシュ
３５：右ブッシュ
３６：キャップ底部
３７：カプセル保持キャビティ
３８：カットしたカプセルのドーム部
【発明を実施するための形態】
【００１３】
本発明の携帯装置は、薬物製剤が充填されたカプセルをカットすると同時に、薬物製剤を分配するための通路を形成する。
【００１４】
一実施形態において、本発明の携帯装置は、
（ａ）カプセル保持キャビティを有するハウジングと、
（ｂ）ハウジングにヒンジを介して（hingedly）固定されたキャップであって、出口ポートに通じる管状の構成部品を含む、キャップと、
（ｃ）カプセルをカットすると同時に、こぼすことなく、薬物製剤を分配するため、管状の構成部品を、カットしたカプセルの口から通路を形成する出口部へ係合させる、刃を移動させるための手段とを備える。
【００１５】
また、一実施形態において、本発明の携帯装置は、
（ａ）カプセル保持キャビティを有するハウジングと、
（ｂ）ハウジングにヒンジを介して（hingedly）固定されたキャップであって、出口ポートに通じる管状の構成部品を含む、キャップと、
（ｃ）カプセルをカットするカットと同時に、こぼすことなく、薬物製剤を分配するため、管状の構成部品を、カットしたカプセルの口から通路を形成する出口部へ係合させる、刃を移動させるための手段とを備え、
刃を移動させるための手段が、
（ｉ）少なくとも１つの刃を有し、ハウジング表面の、２つの平行なガイドウェイに取り付けられた刃保持部と、
（ｉｉ）キャップを閉めた際、刃保持部が、ハウジングの近位端から遠位端へガイドウェイ上を移動し、カプセルをカットするように、刃保持部とキャップとを枢結する、１つ以上のリンケージと、
（ｉｉｉ）ハウジングの遠位端に設けられた開口部の方へ、カットしたカプセルの上部を移動させる、ガード壁と、
を備える。
【００１６】
本発明の携帯装置は、開封し、こぼすことなく薬物製剤を分配するため、薬物製剤が既に充填されているカプセルの上部をカットすることが可能である。特には、薬物製剤は、カプセルのカットと同時に形成された通路から分配される。
これにより、こぼすなどの無駄を生じさせることなく、薬物製剤の正確な投与が可能となる。
カットしたカプセルの下部は、プッシュボタンを押すことにより排出される。
【００１７】
他の実施形態において、本発明の携帯装置は、
（ａ）カプセル保持キャビティを有するハウジングと、
（ｂ）ハウジングにヒンジを介して（hingedly）固定されたキャップであって、出口ポートに通じる管状の構成部品を含む、キャップと、
（ｃ）カプセルをカットするカットと同時に、こぼすことなく、薬物製剤を分配するため、管状の構成部品を、カットしたカプセルの口から通路を形成する出口部へ係合させる、刃を移動させるための手段とを備え、
（ｄ）ハウジングはさらに、カットしたカプセルの下部を排出するためのプッシュボタンを備える。
【００１８】
一実施形態において、装置のハウジング部は、
（ａ）キャップに連結した刃保持部を移動させるためのガイドウェイと、
（ｂ）カプセル保持キャビティと、
（ｃ）所望により、使用者にカプセルの位置決めのためを案内するための、カプセルの垂直カプセル部を示す印像または彫刻と、
（ｄ）開口部と、
（ｅ）ハウジングに係止されたキャップが開くのを補助する、溝および突起部と、を備える。
【００１９】
他の実施形態において、装置のハウジング部は、
（ａ）キャップに連結した刃保持部を移動させるためのガイドウェイと、
（ｂ）カプセル保持キャビティと、
（ｃ）所望により、使用者にカプセルの位置決めのためを案内するための、カプセルの垂直カプセル部を示す印像または彫刻と、
（ｄ）開口部と、
（ｅ）ハウジングに係止されたキャップが開くのを補助する、溝および突起部と、
（ｆ）カットされたカプセルの下部を排出するためのプッシュボタンと、を備える。
【００２０】
一般的には、ハウジングの長さは、把持を容易にするための十分なスペースを確保した状態で、使用者の少なくとも２本の指の幅を収容できる。
【００２１】
装置のハウジングは、ハウジングの上に設けられたキャップと連結した刃保持部の移動のためのガイドウェイを含む。ガイドウェイは直線状であっても、曲線状であってもよい。また、ガイドウェイは、転がり運動のためのレールおよびボールベアリング、またはマスターレール（T rail）およびスレーブレール（U rail）オプションで構成され、刃保持部の移動を可能にし、機構のずれ（misalignment）を防ぐ。
【００２２】
他の実施形態において、ガイドウェイは、直線運動のための、ガイド付きローラーホイールまたはラックピ二オン機構を有することができる。
【００２３】
他の実施形態において、ガイドウェイは、摩擦のない移動のための、空中に浮遊した磁気性非接触型ガイドの形態とすることができる。
【００２４】
他の実施形態において、刃は、チェーンおよびタイマーホイール機構、または滑車およびワイヤー機構に取り付けることができる。
【００２５】
他の実施形態において、ガイド機構は、刃を常にプラットフォーム表面と接触させ、カット作動中の刃の垂直方向の位置ズレを低減する、バネ懸架式とすることができる。
【００２６】
他の実施形態において、ガイド機構は、油圧ピストンまたは空気圧ピストン、およびシリンダの形態とすることができる。
【００２７】
特には、２つのガイドウェイが、それぞれ平行に、ハウジング表面上を走り、また、カプセル保持部は、２つのガイドウェイのトラックの中央に正確に位置する。
【００２８】
刃を保持する刃保持部の２つの面は、ガイドウェイ上に取り付けられる。ガイドウェイは、装置の遠位端への移動および遠位端から近位端への、刃保持部の移動を可能とする。
【００２９】
カット動作は、刃が、装置の近位端から遠位端への移動する際に起こる。
【００３０】
他の実施形態おいて、刃の動きは反対方向であってもよく、カット動作は、キャップを開ける際に、装置の遠位端から近位端に、刃が引っ張られることにより起こる。
【００３１】
他の実施形態において、キャップは、カット動作が回転運動により起こり、管状の構成部品が次いでカットされたカプセル上に配置される、本体上の回転式ガイド上に取り付けることができ、刃は、該キャップに保持される。
【００３２】
ハウジングは、１以上のカプセル保持部を含む。カプセル保持部は、カット処理時およびカット後、カプセルをしっかり保持するためのリブをキャビティ内面に備えていてもよい。
該リブは、さらに、カプセルが保持部壁へ接着してしまうのを防ぐ。
【００３３】
カプセル保持キャビティは、ポリマー、より好ましくは、ポリウレタンおよびポリアミドのような熱可塑性エラストマー（TPE）を用いて柔軟性を有するように作製することができる。
【００３４】
カプセル保持キャビティは、異なる寸法のカプセルを収容できるように、様々なサイズとすることができる。したがって、カプセル保持キャビティは、カプセルサイズに応じ、様々なサイズとすることができる。
【００３５】
カプセル保持キャビティは、複数回の使用に十分な強度を有する柔材料により作製されていてもよい。
【００３６】
カプセル保持キャビティは、カプセルを垂直方向に保持するように設計されている。また、該方向は、刃を備えた刃保持部が装置の遠位端から近位端へ前後に走る、ガイドウェイの位置と垂直となる。
【００３７】
ハウジングの外壁は、使用者がカプセルを適切な位置におけるよう、ハウジングにおけるカプセルの位置を示す、印像を有していてもよい。
【００３８】
装置のハウジングは、使用時の適切な把持を提供するため、その外表面に、セレーション（serration）または溝を有していてもよい。
【００３９】
本発明の一態様において、ハウジングは、装置の遠位端の底部側に位置し、刃の位置から離れた、開口部を含む。これは、カプセルがカット直後の、刃保持部またはガード壁などのような、刃保持部に取り付けられた部品の遠位端への移動により、装置の遠位端に移動するカットされたカプセル上部の廃棄のために設けられる。
【００４０】
カットしたカプセルの底部の除去のため、カプセル保持部の下の領域は、カプセル保持キャビティに指が接触するように開いていてもよく、または図３に示されているように、ハウジングの底部が開いていてもよい。
【００４１】
所望により、ハウジングは、装置が閉じている際のキャップを固定するため、突起部をさらに有していてもよい。
【００４２】
本発明の一態様において、装置のハウジングは、装置の近位端に配位されたヒンジの助けを借りて、キャップと接続する。
【００４３】
キャップは、ヒンジの助けを借りて近位端において蓋と接続する。キャップは、分配される医薬品または薬物が通過する出口ポートに繋がる管状の構成部品を含む。一実施形態において、それは、キャップの上部に配置される。
具体的な実施形態においては、出口ポートは、その内部に一体化されたメッシュ構造を有し、１つの場所に積むのではなく、異なる箇所または一連の隣接する箇所（少なくとも３〜４箇所）に薬剤を散布または送達することを可能にするために使用される。
【００４４】
メッシュの設計とサイズは、メッシュ上への薬物顆粒の蓄積を防止する。メッシュにおけるワイヤーは、薬剤顆粒の沈降を防止する、円形状または三角形状であってもよい。
【００４５】
キャップの上表面は、蓋をキャップに嵌めるための突起部を有する。
【００４６】
一実施形態において、本発明の装置は、カプセルをカットすると同時に、こぼすことなく、薬物製剤を分配するため、管状の構成部品を、カットしたカプセルの口から通路を形成する出口部へ係合させる、刃を移動させるための手段を含み、
刃の移動手段が、
（ｉ）ハウジング表面における２つの平行なガイドウェイ上に取り付けられた刃保持部であって、少なくとも１つの刃を有する刃保持部と、
（ｉｉ）キャップを閉めた際、ガイドウェイ上の刃保持部が、ハウジングの近位端から遠位端へガイドウェイ上を移動し、カプセルをカットする、刃保持部とキャップとを枢結する、１つ以上のリンケージと、
（ｉｉｉ）ハウジングの遠位端における開口部の方へ、カットしたカプセルの上部を移動させる、ガード壁と、を有し、
該手段が、ハウジングと、キャップとの間に配置されている。
【００４７】
一実施形態において、刃保持部は、必要な方向に適切な刃を保持することができる。刃保持部は、その両面における２つのリンケージを介して、装置のキャップに接続され、ハウジングが備えるガイドウェイを移動する。
【００４８】
一実施形態において、２つのリンケージは、一般的には、互いに、プレートなどの構成部品により結合され、これにより、リンケージに強度も付与される。
【００４９】
リンケージは、作動時において、ガイドウェイ上における刃保持部の押し引きに関与する。刃保持部は、また、シールドとしても機能し、無意識に使用者が刃に触れてしまうのを防止する。
【００５０】
刃のサイズおよび形状は特に限定されない。刃は、鋭い端部を有していてもよく、また、鋸刃状の形状を有していてもよい。最小の力で、まずカプセルに穴を開け、次いでカットできるよう、刃の形状は三角形であることが好ましい。
【００５１】
刃によりカプセルをカットした後、ハウジングの一端に設けられた開口部から、装置の外に、カットされたカプセルの上部が押出される。これにより、該上部が、ガイドウェイ上に堆積し、刃の移動を妨害するのを防ぐことができる。
【００５２】
刃保持部は、カットした上部分をハウジングの端部における開口部に向けて押し、カプセルのカットした上部の分配を助ける、ガード壁を有するよう適合してもよい。
【００５３】
開口部は、ハウジングの底部方向へ延び、カプセルのカット直後に、装置からカットしたカプセル上部を廃棄するために設けられる。
【００５４】
装置のキャップは、所望により、蓋を有することができる。該蓋は、出口ポートの開口部を閉じるために使用される。
【００５５】
所望により、蓋は、キャップに確実に固定するための突起部を有し、これにより、カット後および装置の回転後に、使用者は、薬物の送達を調整できる。
また、これにより、所望の箇所および所望の時間で、薬物製剤の送達が確実に行われ、不適切な箇所および不適切な時間で送達されてしまうことを防止できる。
また、これにより、薬物調合物を中に有する装置を異なる向きへ回転させるという融通性を付与できる。
また、これにより、装置を使用しないときにおける、塵や水分が装置内部に入るの防ぐことができ、汚染を防ぐことができる。
【００５６】
本発明が十分に理解されるように、添付の図面を参照しながら、例として挙げられるいくつかの実施形態について以下に説明する。
【００５７】
装置は、図１に示すように、ハウジング（１）、およびキャップ（２）にヒンジ（４）および（５）を介して接続した蓋（３）を備える。また、キャップ（２）は、リンケージ（７）により刃保持部（６）と接続する。
【００５８】
図２に示すように、刃保持部（６）は、刃（８）を保持し、このサブアセンブリは、ハウジング（１）上に設けられたガイドウェイ（９）を移動する。
【００５９】
リンケージ（７）は、ヒンジ（２７）を介してキャップ（２）と接続する。結合プレート（１４）は、２つの互いに結合したリンケージ（７）を支持し、これらに十分な強度を付与する。
【００６０】
また、図２に示すように、装置は、ハウジング（１）上に組み立てられたカプセル保持キャビティ（１０）を有する。カプセル保持キャビティ（１０）は、カプセルを強固に保持すつために使用され、薬物製剤が充填されたカプセルをより強固に保持するために、その内側にリブを備える。
【００６１】
また、キャップ（２）は、カプセル保持キャビティ（１０）上に載っている、その内表面からの管状構成部品（１１）および出口ポート（１７）を有する。
【００６２】
通路（１２）は、カットされたカプセルからの薬物の送達に使用される。
【００６３】
ハウジング（１）の遠位端（２６）における突起部（２０）は、キャップ（２）と、ハウジング（１）とを強固にロックするために使用される。
【００６４】
図３は、閉まった状態のキャップと、ハウジングのカプセル保持キャビティ（１０）の線形アライメントにより形成された通路（１２）と、出口ポート（１７）に繋がるキャップの管状の構成部品（１１）とを備える装置を示す。
【００６５】
図４に示すように、装置の作動モードにおいて、刃保持部（６）は、ガイドウェイ（９）を移動しており、カプセルの上部（２９）がカットされている。
【００６６】
カプセルのカット直後（図３に示される）に、カプセルドームを装置から廃棄するために開口部（１５）は、ハウジング（１３）の底部に設けられる。
【００６７】
蓋（３）は、出口ポート（１７）に適合する、注ぎ口ロック部（１６）を有する。注ぎ口ロック部（１６）により、薬物の意図しない送達を防止できると共に、出口ポート（１７）の外に薬物がこぼれてしまうのを防止できる。
【００６８】
蓋（３）は、図４に示すように、さらなる突起部であり、キャップ（２）の突起部（１９）に適合する蓋ロック部（１８）を有する。蓋ロック部（１８）は、蓋（３）とキャップ（２）とを係止させる機能を有する。
【００６９】
図５に示すように、装置を傾けたとき、出口ポート（１７）を介した薬物の送達が起こる（蓋（３）は開いた状態）。
【００７０】
ヒンジジョイント（４）は、キャップ（２）の開閉を容易にすべく、キャップ（２）をハウジング（１）に接続するために使用される。
【００７１】
リブは、カプセルを強固に保持するために、カプセル保持キャビティ（１０）の内表面に設けられる。
【００７２】
図６は、装置の底部を示し、外側からカプセル保持キャビティ（１０）が見える。
【００７３】
カプセル保持キャビティは、柔軟性ポリマーにより作製され、これにより、圧力が、プッシュボタン（３３）に適用された際に、使用済みのカットされたカプセルの除去を助ける。
【００７４】
図７は、キャップ（２）が半分開いた状態の装置の等角投影正面図である。
【００７５】
ガイドウェイ（９）を移動する刃保持部（６）は、まず、カプセルを突き刺し、次いでカットする（図示せず）刃（８）を保持する。
【００７６】
また、刃保持部（６）は、ガード壁（２１）を有する。刃保持部（６）は、ガイドウェイの端まで移動し、これにより、カプセルをカットすると共に、カットしたカプセルドームを開口部（１５）へ向けて押す。
【００７７】
刃保持部（６）の閉鎖（最終）位置は、図５に示される。
【００７８】
図７に示す下部アンダーカット（２２）は、キャップ（２）から蓋（３）を開くのを容易にするために使用され、また、上部アンダーカット（２３）は、ハウジング（１）からキャップ（２）を開くのを容易にするために使用される。
【００７９】
図８において、蓋（３）が完全に開いた状態の装置が示され、ヒンジ（５）は、蓋（３）と、キャップ（２）とを接続する。
【００８０】
メッシュ構造（２４）は、出口ポート（１７）の内側に設けられ、薬物製剤を、１つの場所に積むのではなく、異なる箇所に散布または送達する。
【００８１】
図は、また、注ぎ口ロック部（１６）が出口ポート（１７）に適合し、蓋ロック部（１８）が突起部（１９）に適合することを示す。
【００８２】
下部アンダーカット（２２）および上部アンダーカット（２３）は、図に示すように、それぞれ、キャップ（２）および蓋（３）を開くのを容易にするのを助ける。
【００８３】
図９に示すように、底部キャップ（３６）は、柱（３２）カプセル保持キャビティ（１０）およびプッシュボタン（３３）を覆うまたは囲う。
【００８４】
柱（３２）は、滑らかかつ正確に動く、プッシュボタン（３３）を提供するブッシュ（３４、３５）に係合する、垂直または垂直に底部キャップ（３６）の基板に取り付けられる。
【００８５】
一実施形態において、本発明の装置は、図１０に示すように、装置の底部に、柱（３２）カプセル保持キャビティ（１０）およびプッシュボタン（３３）を覆うまたは囲う底部キャップ（３６）を備える。
【００８６】
プッシュボタン（３３）は、上に押されていない時には、元の位置に存在する。プッシュボタン（３３）を押すと、カプセル保持キャビティが圧縮され、カプセル保持キャビティ（１０）の外に、カットしたカプセルの下部が排出される。プッシュボタン（３３）から手を離したとき、カプセル保持キャビティは元の位置に戻る。
【００８７】
他の実施形態において、プッシュボタン（３３）は、プッシュボタン（３３）と一体的となる部分を形成する、複数のブッシュ（３４、３５）に支持されている。
【００８８】
複数のブッシュは、複数の柱（３２）にゆるく係合し、プッシュボタン（３３）の滑らかかつ正確な動きに関与する。
【００８９】
本発明の装置において、ブッシュは、従来公知のいずれの形状であってもよく、好ましくは、円形、半円形などである。
【００９０】
図１１に、一実施形態における作動モードを示す。
【００９１】
装置のキャップ（２）は、薬物製剤（３１）含有未処理カプセル（２８）を、カプセル保持キャビティ（１０）内へ投入するために開かれる。
【００９２】
次いで、刃（８）を保持する刃保持部（６）がガイドウェイ（９）を移動し、カプセルの上部（２９）をカットする際に、キャップ（２）が閉じられる。該カプセルの上部（２９）は、開口部（１５）に向けて、ガード壁（２１）により押される。
【００９３】
キャップ（２）が閉まった状態において、管状の構成部分（１１）は、カプセル保持キャビティ（１０）の上表面に設けられた管状溝において、カプセル保持キャビティ（１０）と係合する。
該係合により、出口ポート（１７）まで、薬物用の漏れの生じない経路が形成される。
したがって、顆粒がこぼれてしまったり、結果的に、使用者の投与量が不完全なものとなってしまうリスクを低減することができる。
【００９４】
カプセルのサイズに応じて、該カプセルを保持できるように、カプセル保持キャビティ（１０）は異なる内径を有し、カプセル保持キャビティ（１０）の外表面の寸法を維持ているが、カプセル保持キャビティの外径は、図４に示されるように、管状の構成部品に適合する。
【００９５】
一実施形態において、異なるサイズのカプセルについては、１つの装置で十分である。また、他の実施形態において、カプセル保持キャビティは、異なるサイズのカプセルに応じて、移動可能または他のカプセル保持キャビティへ取り替え可能である。
【００９６】
実施形態において、異なるサイズのカプセルについては、１つの装置で十分であり、使用者は、カプセルのそれぞれのサイズに応じ、適切なカプセル保持キャビティを取り付けることが可能である。
【００９７】
代替的に、図４の装置は、カプセルの各サイズ用に設計され、この実施形態においては、カプセル保持キャビティは、移動できず、また他のカプセル保持キャビティへ取り替えることはできない。
【００９８】
薬物製剤（３１）の分配準備ができているとき、出口ポート（１７）を覆う蓋（３）が開かれ、装置を傾けることにより、薬物製剤（３１）と共に消費される食品または液体に、出口ポート（１７）を介して、薬物製剤が注がれる。
【００９９】
その後、プッシュボタン（３３）を押したときに、柔軟性カプセル保持キャビティ（１０）が圧縮され、カットしたカプセルの下部（３０）が排出される。
【０１００】
本発明によれば、いくつかの利点がもたらされる。
【０１０１】
例えば、本発明の装置は、使用が容易であり、器用さの点で問題のある高齢者または弱っている患者である使用者が手助けなく、装置を使用出来るという、十分な機械的な利点をもたらす。
【０１０２】
本装置は、カプセルの分割へ、信頼性および正確性の高い技術を提供する。
【０１０３】
カプセル保持部におけるカプセルの正確な位置合わせは、刃の形状と同様に、カプセルへのダメージを与えないこと、およびカットされた端部は、薬物中に落ちることなく、配置される。
【０１０４】
本装置は、内容量が少ない、小さなカプセルサイズであっても、正確に作動する。
【０１０５】
本発明は、異なるサイズのカプセルに適合でき、異なるカプセルのプロトタイプの利用が可能である。
【０１０６】
刃によるカプセル上部のカット後、使用者の要求に応じ、薬物製剤を送達または注ぐように本装置は使用される。
【０１０７】
薬物製剤は、装置の上部に設けられた開口部、いわゆる出口ポートを通り、装置から放出される。
これにより、使用者は、薬物の再度の包装、および薬剤または薬物製剤がこぼれてしまうことを防止することができる。
【０１０８】
本発明は、特定の装置、構造、機械および薬物充填カプセルのカット方法について記載しているが、本発明の原理は、同様の装置、構造および薬物充填カプセルのカット方法に適用可能なことは理解されよう。また、本発明は、該装置、構造、機械および薬物充填カプセルのカット方法に限定されるものではないことも理解されよう。
【図１】
2019505332.tif 000003
【図２】
2019505332.tif 000004
【図３】
2019505332.tif 000005
【図４】
2019505332.tif 000006
【図５】
2019505332.tif 000007
【図６】
2019505332.tif 000008
【図７】
2019505332.tif 000009
【図８】
2019505332.tif 000010
【図９】
2019505332.tif 000011
【図１０】
2019505332.tif 000012
【図１１】
2019505332.tif 000013
【国際調査報告】
2019505332.tif 000014
2019505332.tif 000015